(57)【特許請求の範囲】
【請求項１】
電気家具駆動装置（２）によって駆動される家具部分（３）の移動に基づいて前記電気家具駆動装置（２）を起動させるためのトリガーセンサ（１）であって、
当該トリガーセンサは、基端部と先端部とを有する折畳レバーを備えた作動部材（４）を備え、前記作動部材（４）は、２本の折畳アーム（５ａ、５ｂ）を含み、前記２本の折畳アーム（５ａ、５ｂ）は、前記基端部と前記先端部との間に位置するロータリージョイント（５ｃ）によって相互に連結されると共に、相互に可動であり、
当該トリガーセンサは、前記２本の折畳アーム（５ａ、５ｂ）に相互作用するバネ（１０）をさらに備え、
直交する少なくとも２方向での前記家具部分（３）の移動が当該トリガーセンサ（１）によって検出可能となるよう、前記作動部材（４）は前記電気家具駆動装置（２）と前記家具部分（３）との間に配置されていることを特徴とするトリガーセンサ。
【請求項２】
前記作動部材（４）は、出力駆動装置（６）を介してポテンショメータと協調することを特徴とする請求項１に記載のトリガーセンサ。
【請求項３】
請求項１または２に記載のトリガーセンサ（１）と当該トリガーセンサ（１）によって起動される電気家具駆動装置（２）とを備えることを特徴とする構造体。
【請求項４】
家具枠体（７）と、請求項３記載の構造体と、前記家具枠対体（７）に対して可動に取り付けられた家具部分（３）とを含んだ家具であって、
家具駆動装置（２）は、ゼロではない少なくとも２つの相互に直交する方向（ｘ、ｙ、ｚ）の成分を有する前記家具部分（３）の移動によって起動できることを特徴とする家具。
【請求項５】
家具駆動装置（２）のトリガーセンサ（１）の折畳レバーのロータリージョイント（５ｃ）の回転軸は、家具部分（３）の移動方向（ｘ）に直交する関係で延びていることを特徴とする請求項４記載の家具。
【請求項６】
家具駆動装置（２）のトリガーセンサ（１）の折畳レバーのロータリージョイント（５ｃ）の回転軸は、家具部分（３）の移動方向（ｘ）に対して９０°以外の角度で延びていることを特徴とする請求項４記載の家具。
【請求項７】
家具駆動装置（２）のトリガーセンサ（１）の作動部材（４）は、家具部分（３）に配置された支部材（８）と協調することを特徴とする請求項４から６のいずれかに記載の家具。
【請求項８】
支部材（８）は、平坦であることを特徴とする請求項７記載の家具。
【請求項９】
支部材（８）は、傾斜面の形態であることを特徴とする請求項７記載の家具。
【請求項１０】
家具枠体（７）と、請求項３に記載の構造体と、前記家具枠体（７）に対して延伸可能に取り付けられている引出しとを含んだ家具であって、家具駆動装置（２）は、延伸方向（ｘ）と直交関係に延びる方向（ｙ、ｚ）のゼロではない成分を有する前記引出しの移動によって起動可能であることを特徴とする家具。
【発明の詳細な説明】
【技術分野】
【０００１】
本発明は、家具駆動装置によって駆動される家具部分のユーザによる動きに応じて電気家具駆動装置を起動させるためのトリガーセンサに関する。
【背景技術】
【０００２】
トリガーセンサは、家具部分によって設置位置で可動な少なくとも一つの作動部材を有する。
【０００３】
トリガーセンサは、特許文献１において多様な異なる設計形態で示されている。例えば図１７は、作動部材によって作動されるポテンショメータを有するトリガーセンサを示しており、この作動部材は、家具駆動装置の放出レバー内で一体化されている。この目的で放出レバーは、２部材形態であり、２本のレバー部分は、バネによって互いにプレストレスされている。
【０００４】
図１８は、トリガーセンサが家具駆動装置から分離されて家具枠体に固定されている別実施例を示している。ここでは、トリガーセンサの作動部材は、ラックによってポテンショメータのピニオンと協調するバネ荷重されたプッシュロッドの形態である。そのトリガーセンサの詳細な構造は図１９で示している。
【０００５】
前述のトリガーセンサは、所定の一方向の家具部分の動きにのみそれぞれ感応するという弱点を有する。この方向は、家具部分がその方向で可動となるように取り付けられている特定の方向である。特に家具部分が引き出しの形態である場合、この問題は、奥行きが浅い非常に幅広な引き出しにおいて発生し、特に引き出しの前面パネルの縁部領域の一方に手による加圧の適用が関与する状況において、家具部分の所定の方向のみに感応するトリガーセンサは、家具駆動装置を確実には起動させない。
【０００６】
詳述すればこの場合、家具枠体の側壁に平行な家具部分の無視できる程度の奥行き方向の移動のみが、ユーザによる外部から適用される力によって可能になるだけである。代わりに、主として家具部分の回転運動が関与し、そのような回転運動は、トリガーセンサによっては検出できない。この問題は、例えば家具ドアまたは家具扉などの他の家具部分に関しても発生することがある。
【０００７】
特許文献２は、「請求項１」の前提部分を有するトリガーセンサを開示している。
【先行技術文献】
【特許文献】
【０００８】
【特許文献１】オーストリア特許第４１３４７２Ｂ号明細書
【特許文献２】ドイツ特許出願公開第１０２００６００８５０５Ａ１号明細書
【発明の概要】
【発明が解決しようとする課題】
【０００９】
本発明は、前述の状況でも家具駆動装置を確実に起動させ、特許文献２で開示のものよりも簡易で安価な構造のトリガーセンサを提供することを目的としている。
【課題を解決するための手段】
【００１０】
この目的は、「請求項１」の特徴を有するトリガーセンサ、「請求項５」の特徴を有する構造、「請求項６」の特徴を有する家具、および「請求項１２」の特徴を有する家具によって達成される。
【００１１】
トリガーセンサの利用は、それ自体が少なくとも互いに直交する二方向の家具部分の移動を検出するために適しており、複雑で高価な多軸加速度センサを利用せずに一つのトリガーセンサだけを利用するときでも家具駆動装置を確実に起動させることができる。
【００１２】
可動家具部が、延伸できるように家具枠体内に取り付けられた引出しである特定状況では、場合によっては家具駆動装置の移動は、延伸方向に直交する方向でのみモニターされる。これは、例えば上述の従来技術に従ったトリガーセンサが家具枠体の側壁に配置されているか、または家具枠体の後側に配置されており、この場合に、延伸方向に延び、その家具部分上に配置されている支部材と協調することで可能である。
【００１３】
本発明による対策は、特に物品を入れたり出したりできる物品収納のための保管スペース（例えば引き出し）か、そのような保管スペースを開閉できる電気駆動家具部分（例えば跳戸、引き戸）で利用に適している。
【００１４】
さらに有利な実施態様は、各従属請求項に定義されている。
【００１５】
作動部材の特に簡易な形態は、作動部材が、相対的に可動である２本の折畳アームを有する折畳式レバーの形態である場合である。これら２本の折畳アームが、例えば折畳継手などにより互いに限定的に可動に取り付けられていればよい。特に好適にはそれら折畳アームは、回転ジョイントによって互いに回転式に接続されている。
【００１６】
それぞれの実施態様において作動部材は、出力駆動装置を介してポテンショメータと協調する。起動もまたポテンショメータとは、異なる形態で機能できるであろう。その他の例は、出力駆動装置に連結できる光学エンコーダまたは磁気エンコーダの使用である。
【００１７】
各実施態様では、家具駆動装置は、少なくとも一つのトリガーセンサと信号関係にある制御装置または調整装置を有する。その制御または調整装置は、電気駆動装置を制御または調整する駆動モジュールを有することができる。電気駆動装置は、例えば電動モータの形態である。
【００１８】
引き出し以外の可動家具部のその他の例は、家具跳戸および引き戸である。
本発明のさらなる利点や詳細は、詳細な説明や添付の図面から明確になるであろう。
【図面の簡単な説明】
【００１９】
【図１】図１は、家具部分がその中に可動に取り付けられた家具枠体の後側の一部を示す斜視図である。
【図２ａ】図２ａは、本発明によるトリガーセンサの第１実施例を示している。
【図２ｂ】図２ｂは、本発明によるトリガーセンサの第１実施例を示している。
【図２ｃ】図２ｃは、本発明によるトリガーセンサの第１実施例を示している。
【図３ａ】図３ａは、本発明によるトリガーセンサの第２実施例を示している。
【図３ｂ】図３ｂは、本発明によるトリガーセンサの第２実施例を示している。
【図３ｃ】図３ｃは、本発明によるトリガーセンサの第２実施例を示している。
【図４】図４は、傾斜面で協調するトリガーセンサを示している。
【図５】図５は、本発明によるトリガーセンサを備えた家具の全体図である。
【図６ａ】図６ａは、多様なトリガー状況を示している。
【図６ｂ】図６ｂは、多様なトリガー状況を示している。
【図６ｃ】図６ｃは、多様なトリガー状況を示している。
【図６ｄ】図６ｄは、多様なトリガー状況を示している。
【図６ｅ】図６ｅは、多様なトリガー状況を示している。
【発明を実施するための形態】
【００２０】
図１は、フロントパネル３’を有する引き出しの形態である可動家具部分３の前面および側壁を示す部分図であり、家具部分３は、これも部分的に示されている家具枠体７内に取り付けられており、押し込みおよび引き出し可能である。
【００２１】
以下において使用される座標系は、３脚の矢の形態で表わされている。可動家具部分３が取り付けられている方向は、引き込みおよび引き出し方向であるｘ方向と称される。ｙ方向は、家具枠体７の後側に平行に延びている。ｚ方向は、それら２方向に直角に、すなわち家具枠体７の高さ方向に延びている。
【００２２】
既に述べたように、従来のトリガーセンサでは、ｘ方向の動きのみを検出することが可能であった。本発明では、それぞれ直交する方向に沿ったゼロではない家具部分３の動きを検出することが可能である。
【００２３】
図２は、折畳レバーの形態の作動部材４を備えた本発明の第１実施例を示す３つの図である。家具枠体７の後側は、トリガーセンサを示すために取り除かれている。作動部材４は、ロータリージョイント５ｃによって相互にヒンジ式に連結された２本の折畳アーム５ａと５ｂを有しており、１本の折畳アーム５ａは、家具部分３上に配置された支部材８と協調し、もう一方の折畳アーム５ｂは、出力駆動装置６と一体化している。出力駆動装置６は、ポテンショメータ（詳細には図示されていない）と駆動ホイール９を介して協調する。トリガーセンサ１は、ここでは家具駆動装置２上に直接配置されている。
【００２４】
基本的には、２つのトリガー機能が提供できる。１つのトリガー機能では、駆動ホイール９が動き始めたときには、ポテンショメータは、家具駆動装置２を既に起動している。      
【００２５】
もう一つのトリガー機能では、家具駆動装置２の起動が実施される前にポテンショメータは、まず駆動ホイール９の所定回数の回転を検知しなければならない。従って、この場合には、起動は所定の距離の移動においてのみ起動される。
【００２６】
図２ｂと図２ｃから明確に理解できるであろうが、２本の折畳レバー５ａと５ｂは、バネ１０によって相互作用する。このアレンジで折畳レバー５ａは、折畳レバー５ｂに対して折り畳まれた位置で付勢され、特に外部からの作用力無しで図２ｃに示す位置となる。
【００２７】
このプレストレス効果によって、作動部材４は、ｘ方向での家具部分３の移動によって移動される。さらに家具部分３のｙ方向での移動も作動部材４の移動を発生させ、本発明によるトリガーセンサ１の起動感度を従来よりも向上させている。従って、家具駆動装置２の起動は、それら両方の動きで実行できる。
【００２８】
図２ｂでは、家具部分３は、完全に閉じた位置にある。完全に閉じた位置でも家具部分３を押し込む余地がまだあり、これは従来式にバネ緩衝器（図示せず）によって提供できる。
【００２９】
図２ｃでは、図２ｂと比較して、家具部分３は、ユーザによって手動で横方向に押されている（図６ｂに例示）。その結果、出力駆動装置６によってポテンショメータの駆動ホイール９に伝えられる作動部材の動きは、トリガーセンサ１によって検知され、その起動のために家具駆動装置２に供給される。
【００３０】
作動部材４の図示の形態では、家具駆動装置１の起動は、ｘ方向での動きによってだけでなく、ｙ方向の動きによっても検知できる（図６参照）。
【００３１】
図３に示す本発明の実施例は、図２に示すものと異なり、作動部材４は、家具枠体７に傾斜して設置されている。すなわち、ｘ方向およびｙ方向のみに延びるだけでなく、ｚ方向にも延びる。この形態は、ｚ方向への動きの成分を有する家具部分３の動きも検出できることを意味している。
【００３２】
図３ｂから特に明らかとなるように、この目的でポテンショメータの駆動ホイール９の出力駆動装置６は曲げられた状態である。
【００３３】
これらの図に示す状態とは異なり、本発明によるトリガーセンサ１は、家具枠体７または、家具部分３で家具駆動装置２とは離して配置することもでき、それらと信号送信関係にすることもできる。１つの家具部分３を駆動させるために複数の家具駆動装置２を利用することも可能である。トリガーセンサ１と支部材８は、家具枠体７または可動家具部分３それぞれに横方向に配置することもできる。家具駆動装置２は、例えば従来の電気モータを有することができ、ＷＯ  ２００６/１１３９４７  Ａ１号公報に記載の図３ａ、図４または図５ａのうちの一つと全く同一に設計することもできる。家具駆動装置２は、例えば家具枠体７と家具部分３に常時的に接続されている形態（例えばＥＰ  1３７４  ７３２  Ａ１号公報に記載の形態）も想定内である。
【００３４】
本発明による家具駆動装置２による家具部分３の駆動は、ユーザが家具部分３を手動（当初の押込み）でさらに移動させることができる程度に、家具枠体７の閉端位置から動き始める家具部分３だけに限定することもできる。
【００３５】
図４は、傾斜面の形態で、ここでは家具部分３に取り付けられている支部材８と協調するトリガーセンサ１を示している。トリガーセンサ１の作動部材４は、ここでは一体型である。互いに直交している少なくとも２つの方向（ｘ、ｙ、ｚ）に沿った発明に必要とされるトリガーセンサ１の感度は、ここでは傾斜的に広がる傾斜面のみによって達成される（ｘ方向およびｙ方向の成分を有する）。
【００３６】
電源のコードと信号伝達のための配線は図示されていない。
【００３７】
一般論的に言えば、本発明のトリガーセンサ１は、家具部分３のｘ、ｙ、ｚ方向のうち少なくとも２つの相互直交方向の移動に対して敏感に反応する。
【図１】
0005643225.tif 000002
【図２ａ】
0005643225.tif 000003
【図２ｂ】
0005643225.tif 000004
【図２ｃ】
0005643225.tif 000005
【図３ａ】
0005643225.tif 000006
【図３ｂ】
0005643225.tif 000007
【図３ｃ】
0005643225.tif 000008
【図４】
0005643225.tif 000009
【図５】
0005643225.tif 000010
【図６ａ】
0005643225.tif 000011
【図６ｂ】
0005643225.tif 000012
【図６ｃ】
0005643225.tif 000013
【図６ｄ】
0005643225.tif 000014
【図６ｅ】
0005643225.tif 000015